(57)【要約】【課題】屋外に敷設する電源、通信用ケーブルの破損を防止して、携帯性及び作業性の良い屋外ケーブルの養生シートを提供する。【解決手段】本考案の屋外ケーブルの養生シート１０は、一方の主面に耐候性及び耐放射線性の第１シート１４と、他方の主面に防燃性の第２シート１６を有するシート本体１２を備え、  前記第１シート１４は、材質に含水珪酸マグネシウムを主原料とする添加剤を含むポリエチレンを用いることを特徴としている。【選択図】図１
0003214622.tif 000002
【実用新案登録請求の範囲】
【請求項１】
一方の主面に耐候性及び耐放射線性の第１シートと、他方の主面に防燃性の第２シートを有するシート本体を備え、
前記第１シートは、材質に含水珪酸マグネシウムを主原料とする添加剤を含むポリエチレンを用いることを特徴とする屋外ケーブルの養生シート。
【請求項２】
前記含水珪酸マグネシウムは、含有量が５％以上、かつ３５％で以下あることを特徴とする請求項１に記載の屋外ケーブルの養生シート。
【請求項３】
前記含水珪酸マグネシウムは、含有量が５％から１０％であることを特徴とする請求項１に記載の屋外ケーブルの養生シート。
【請求項４】
前記シート本体は前記第２シートの上に電磁遮蔽性を有する第３シートを積層したことを特徴とする請求項１ないし３のいずれか１に記載の屋外ケーブルの養生シート。
【請求項５】
前記シート本体の一方の主面はバックルを備え、
前記バックルは、オス部とメス部を嵌め合わせた中心位置が前記シート本体の中心から左右いずれかの端部側へシフトさせた位置となるように取り付けたことを特徴とする請求項１ないし４のいずれか１に記載の屋外ケーブルの養生シート。
【請求項６】
前記バックルは、前記シート本体の長手方向に沿って間隔をあけて複数取り付け、いずれか一方の端部の前記バックルは前記シート本体から除去又は着脱可能なことを特徴とする請求項５に記載の屋外ケーブルの養生シート。
【考案の詳細な説明】
【技術分野】
【０００１】
本考案は、屋外に敷設する電源又は通信などのケーブルの破損・劣化を防止するために用いる養生シートに関する。
【背景技術】
【０００２】
電源又は通信用ケーブルの破損・劣化を防止するシート又はカバーがある。
このシート又はカバーは、難燃性を有する場合、ケーブル束に巻き付けて固定して、火災等から保護することができる。
従来、各種性能を有するシート又はカバーが多数提案されており、特許文献１に開示の保護シートは、断熱層、通気遮断層、綿布層、難燃層を積層した構造を採用して耐水性能を持たせている。
また、屋外に敷設する通信又は電源用ケーブルを保護する市販品として、パイプ、チューブ、メッシュ状の部材が利用されている。これらの部材の多くは、ケーブルの表面を覆った後、ホック式等のボタン留めでケーブルに固定している。
【先行技術文献】
【特許文献】
【０００３】
【特許文献１】特開２０１０−２１３５１１号公報
【考案の概要】
【考案が解決しようとする課題】
【０００４】
しかし特許文献１に開示の保護シートは、積層体構造を構成する金属層によって厚みが増しシート全体の重量も増加して、作業者の持ち運びできる量が少なくなってしまう。
また従来の市販品は、パイプ形状等で軽量であるものの嵩張って作業性が悪く、かつ作業者の持ち運ぶ量も少なくなってしまう。そしてホック式等のボタン留めによって固定する作業は煩雑となり、作業時間が長期化するおそれもある。
特に放射線量の多い現場のケーブル敷設作業では、作業者の被曝を防ぐために速やかで確実な施工が求められている。
【０００５】
そこで本考案は、上記従来技術の問題点に鑑み、屋外に敷設する電源又は通信用ケーブルの破損・劣化を防止して、携帯性及び作業性の良い屋外ケーブルの養生シートを提供することを目的としている。
【課題を解決するための手段】
【０００６】
上記課題を解決するための第１の手段として、本考案は、一方の主面に耐候性及び耐放射線性の第１シートと、他方の主面に防燃性の第２シートを有するシート本体を備え、前記第１シートは、材質に含水珪酸マグネシウムを主原料とする添加剤を含むポリエチレンを用いることを特徴とする屋外ケーブルの養生シートを提供することにある。
上記第１の手段によれば、シート状のため軽量化が図れ、折り畳むことによって袋詰めして持ち運びでき作業者の携帯性が良い。このため、作業性が良くなり作業時間の短縮化が図れる。特に放射線量の高い現場において取り付け作業が短時間で済み、作業者の被ばく低減に有効となる。また耐候性（例えば、酸化反応、熱、雨水による加水分解及び浸食、温度変化などを起こしにくい性質）、防燃性、耐放射線性、耐紫外線性の性能を有する養生シートにより屋外ケーブルの破損及び経年劣化を防止することができる。
【０００７】
上記課題を解決するための第２の手段として、本考案は、前記第１の手段において、前記含水珪酸マグネシウムは、含有量が５％以上、かつ３５％以下であることを特徴とする屋外ケーブルの養生シートを提供することにある。
上記第２の手段によれば、シート全体の携帯性及び軽量化を図りつつ、耐紫外線性の性能を高めた養生シートにより屋外ケーブルの破損及び経年劣化を防止することができる。
【０００８】
上記課題を解決するための第３の手段として、本考案は、前記第１の手段において、前記含水珪酸マグネシウムは、含有量が５％から１０％であることを特徴とする屋外ケーブルの養生シートを提供することにある。
上記第３の手段によれば、シート全体の携帯性及び軽量化を図りつつ、耐候性、耐放射線性に加え、特に耐紫外線性の性能を高めた養生シートにより屋外ケーブルの破損及び経年劣化を防止することができる。
【０００９】
上記課題を解決するための第４の手段として、本考案は、前記第１ないし第３のいずれか１の手段において、前記シート本体は前記第２シートの上に電磁遮蔽性の第３シートを積層したことを特徴とする屋外ケーブルの養生シートを提供することにある。
上記第４の手段によれば、シート全体の携帯性及び軽量化を図りつつ、耐候性、耐放射線性、耐紫外線性に加え、特に耐電磁ノイズの性能を高めた養生シートにより外部からの電磁的ノイズからケーブルを保護することができる。
【００１０】
上記課題を解決するための第５の手段として、本考案は、前記第１ないし第４のいずれか１の手段において、前記シート本体の一方の主面はバックルを備え、
前記バックルは、オス部とメス部を嵌め合わせた中心位置が前記シート本体の中心から左右いずれかの端部側へシフトさせた位置となるように取り付けたことを特徴とする屋外ケーブルの養生シートを提供することにある。
上記第５の手段によれば、養生シートの固定作業が容易に行えて作業性が高まると共に、ケーブルに巻き付けたシート本体の外側端部を下向きにすることが容易で、外側端部からシート本体内部へ雨水等が浸水することを防止できる。
【００１１】
上記課題を解決するための第６の手段として、本考案は、前記第５の手段において、前記バックルは、前記シート本体の長手方向に沿って間隔をあけて複数取り付け、いずれか一方の端部の前記バックルは前記シート本体から除去又は着脱可能なことを特徴とする屋外ケーブルの養生シートを提供することにある。
上記第６の手段によれば、屋外ケーブルの長手方向に沿って連続してシート本体を端部が一部重なるように取り付ける際に、バックルどうしが重なって嵩張ることがなく、ケーブルの長手方向に沿ってシートを隙間なく密着させつつ連続して取り付けることができる。
【考案の効果】
【００１２】
本考案によれば、シート本体が軽量化かつ折り畳み可能な構成であり、作業者が設置作業を行う際の作業性、携帯性が良い。
またオス部とメス部を嵌め合わせたときのバックルの中心位置がシート本体の中心から左右いずれかの端部側へシフトさせた位置となるようにバックルを設けているため、屋外に敷設するケーブルが雨水等によって浸水することを簡易な構成で防止できる。
【図面の簡単な説明】
【００１３】
【図１】本考案の屋外ケーブルの養生シートの説明図である。
【図２】本考案の屋外ケーブルの養生シートを連続して屋外ケーブルに取り付ける説明図である。
【図３】本考案の屋外ケーブルの養生シートを屋外ケーブルに取り付ける説明図である。
【図４】変形例の屋外ケーブルの養生シートの構成概略図である。
【考案を実施するための形態】
【００１４】
本考案の屋外ケーブルの養生シートの実施形態を添付の図面を参照しながら、以下詳細に説明する。本考案の養生シートは特に屋外に敷設する通信又は電源用ケーブルを取り付け対象としている。
【００１５】
［屋外ケーブルの養生シート１０］
図１は本考案の屋外ケーブルの養生シートの説明図であり、（Ａ）は平面図、（Ｂ）は（Ａ）のａ−ａ矢視を拡大した断面図である。本考案の屋外ケーブルの養生シート１０は、一方の主面に耐候性及び耐放射線性の第１シート１４と、他方の主面に防燃性の第２シート１６を有するシート本体１２を備え、前記第１シート１４は、材質に含水珪酸マグネシウムを主原料とする添加剤を含むポリエチレンを用いることを主な基本構成としている。
シート本体１２は、作業者が持ち運びできる重さを考慮すると共にケーブルの長手方向に沿って取り付け可能な所定長さの長辺と、ケーブル束に巻き付けて外表を覆う短辺からなる平面視で長方形状のシートである。
【００１６】
＜第１シート１４＞
第１シート１４は、シート本体１２の一方の主面（外側）を構成するシートであり、材質に含水珪酸マグネシウム（タルクともいう）を主原料とする添加剤を含むポリエチレン（主材質）を用いている。
本考案者は第１シートを生成するにあたり、以下の物性データを基に種々の検討を行った。表１はポリエチレンを主材質、含水珪酸マグネシウムを添加剤とする３種のシート材Ａ−Ｃの物性データ（主材質のｗｔ％、質量、厚さ、添加剤のｗｔ％）を示している。
【００１７】
【表１】
0003214622.tif 000003
一般に、ポリエチレンは耐放射線性を有していることが知られている。また、含水珪酸マグネシウムは耐紫外線性（ＵＶ）を有していることが知られている。表１のうちシート材Ａは、３種のうちでポリエチレンの含有量（重量パーセント）が最も多く耐放射線性を有しているが、最も厚みがあり、かつ質量も重いため、機械的強度は高いものの作業者の携帯性を考慮すると好適とは言えない。またシート材Ａは含水珪酸マグネシウムの含有量が少ないため、十分な耐紫外線性が期待できない。
シート材Ｂは、シート材Ａよりもポリエチレンの含有量が僅かに少ないながら十分な耐放射線性を有している。また厚み０．５ｍｍで質量２７０ｇ／ｍ２と、所定の機械的強度を確保できており、かつ作業者の携帯性を考慮すると好適である。さらに、含水珪酸マグネシウムの含有量が５−１０％であり十分な耐紫外線性を有している。
【００１８】
シート材Ｃは、３種のうちで含水珪酸マグネシウムの含有量（重量パーセント）が最も多く、高い耐紫外線性を有しているが、Ａ−Ｃのうちで最も厚みが薄く、かつ質量も軽いため、機械的強度が十分でない。しかし、含水珪酸マグネシウムの含有量を考慮すると、３５％よりも多い場合にはポリエチレンの含有量、すなわち耐放射線性能が低下してしまう。従って耐放射線性とのバランスを考慮すると耐紫外線性に関しては許容範囲といえる。
以上より、本考案の含水珪酸マグネシウムは、含有量が５％以上、かつ３５％以下とすることにより、シート全体の携帯性及び軽量化を図りつつ、耐紫外線性の性能を高めた養生シートにより屋外ケーブルの破損及び経年劣化を防止することができる。
また好ましくは５％〜１０％含んでいることにより、シート全体の所定の機械的強度を保持し、携帯性及び軽量化を図りつつ、耐候性、耐放射線性に加えて、特に耐紫外線性の性能を高めた養生シートにより屋外ケーブルの破損及び経年劣化を防止することができる。
【００１９】
＜第２シート１６＞
第２シート１６は、シート本体１２の他方の主面（内側）を構成するシートであり、ケーブル束に巻き付ける側（ケーブル束と接触する側）の面となる。第２シート１６は、材質に一般的に用いられているポリエステル基剤にポリ塩化ビニルのコーティングを施したものであり、防燃性（難燃性）を有している。
このような第１シート１４及び第２シート１６は、接着接合や、図１に示すように各シートの全端を内側に折り返して縫製してシート本体１２を形成することができる。なおシートの端を折り返して縫い合わせた場合には端部の厚みが増してシート本体１２の強度を高めることができる。
【００２０】
＜バックル２０＞
バックル２０は、プラスチック樹脂性のオス部２２及びメス部２４の着脱構造を採用している。バックル２０は所定長さのテープ２６に取り付け、テープ２６の端は第１シート１４の表面に接着接合又は縫製している。このとき図１に示すようにバックル２０のオス部２２とメス部２４を嵌合した位置がシート本体１２の長手方向に沿った中心線（図１参照）上から端側へシフトした（外れた）位置となるように取り付けている。これにより、ケーブルに巻き付けたシート本体１２の外側端部を下向きにすることが容易で（後述する図３参照）、外側端部からシート本体１２内部へ雨水等が浸水することを防止できる。
またバックル２０はシート本体１２の長手方向に沿って、間隔をあけて複数取り付けている（図１に示すバックル２０は５個）。
【００２１】
なお、図２に示すように、シート本体１２に複数設けるバックル２０のうち、シート本体１２の両端（短辺側）のいずれか一方は除去、又はシート本体１２から着脱可能に構成することもできる。このような構成により、複数の養生シート１０を屋外ケーブル１に一部重なるように連続して取り付ける際に、重なり部分の下側のバックル２０の嵩張りによって隙間が生じることを防止でき、養生シート１０の重なり部分を隙間なく密着させつつ連続して形成することができる。従って、雨水等の浸水を確実に防止できる。
このような構成の養生シート１０は、シート状であって軽量のため折り曲げ自在であり、折り畳んで袋詰めすれば複数のシートを作業者が容易に持ち運ぶことができる。
【００２２】
［作用］
上記構成による本考案の屋外ケーブルの養生シート１０の作用について、以下説明する。
図３は本考案の屋外ケーブルの養生シートをケーブルに取り付ける説明図である。
本考案の養生シート１０は、シート状のため軽量化が図れ、折り畳むことによって袋詰めして携帯性が良く、作業者が容易に現場へ持ち運ぶことができる。そして図３（Ａ）に示すように、屋外ケーブル１を敷設する箇所に養生シート１０を第２シート１６が内側（屋外ケーブル１と接触する側）となるように配置する。
図３（Ｂ）に示すように、屋外ケーブル１を養生シート１０上の中心線よりも端部側に配置したバックル２０間に接触させた後、屋外ケーブル１を中心としてシート本体１２の短い端部側を屋外ケーブル１に巻き付ける（丸１）。ついで、シート本体１２の長い端部側を屋外ケーブル１に巻き付ける（丸２）。
【００２３】
図３（Ｃ）に示すように、シート本体１２の長い端部側が短い端部側を上方から被さるように巻き付ける。これにより、上方からの降雨の浸水を防止できる。
図３（Ｄ）に示すように、バックル２０のオス部２２とメス部２４を屋外ケーブル１上で嵌め合わせて締め付けることによって養生シート１０を屋外ケーブル１に容易に固定できる。なお取り外す際は図３（Ｄ）から（Ａ）に示す逆の手順で取り外すことができる。
このような本考案の養生シートによれば、シート本体が軽量化かつ折り畳み可能な構成であり、作業者が設置作業を行う際の作業性、携帯性が良い。特に放射線量の高い現場においては取り付け作業が短時間で済み、作業者の被ばく低減に有効となる。
またオス部とメス部を嵌め合わせた中心位置がシート本体の中心から左右いずれかの端部側へシフトさせた位置となるようにバックルを設けているため、屋外に敷設するケーブルが雨水等によって浸水することを容易に防止できる。
【００２４】
［屋外ケーブルの養生シートの変形例］
＜第３シート＞
図４は屋外ケーブルの養生シートの変形例の説明図である。
変形例の養生シート１０Ａは、第３シート１８を付加した構成が図１に示す養生シート１０と異なり、その他の構成については同様であるため詳細な説明を省略する。
前述のように屋外ケーブル１には通信用と電源（送配電）用があり、現場によって通信ケーブルが電源ケーブルと並行又は近接している場合がある。このような場合、通信ケーブルに電源ケーブルから発生する電磁ノイズにより、電磁的又は静電的な不具合が生じてしまい接続した機器で誤作動のおそれがある。
【００２５】
そこで第２シート１６上に金属製の遮蔽層で電磁遮蔽性（耐電磁ノイズ性）を有する第３シート１８を接着又は縫製により設けている。または屋外ケーブル１に第３シート１８を巻き付けた後、養生シート１０を巻き付けても良い。
より具体的な第３シート１８の構成は、金属層に一例としてアルミ材を用いている。このほか遮蔽効果のある金属層（一例として銅）を適用することもできるが、作業者の携帯性及び作業性を考慮して軽量化した金属層であることが望ましい。
このような構成の第３シート１８を設けた養生シート１０Ａは、通信用ケーブルに巻き付けることによって、平行又は近接している電源用ケーブルに起因する電磁的又は静電的な不具合を防止できると共に、シート全体の携帯性及び軽量化を図りつつ、耐候性、耐放射線性に加えて、特に耐紫外線性の性能を高めた養生シートによりケーブルの破損及び経年劣化を防止することができる。
以上、本考案の養生ケーブルは、特に屋外ケーブルを対象として説明したが、適用対象はこれに限らず屋内ケーブルであっても適用可能である。
【符号の説明】
【００２６】
１………屋外ケーブル、１０………屋外ケーブルの養生シート、１２………シート本体、１４………第１シート、１６………第２シート、１８………第３シート、２０………バックル、２２………オス部、２４………メス部、２６………テープ。
【図１】
0003214622.tif 000004
【図２】
0003214622.tif 000005
【図３】
0003214622.tif 000006
【図４】
0003214622.tif 000007